(57)【特許請求の範囲】
【請求項１】
カツラの内側に取付けて、頭部自毛を挟持して当該カツラを頭部に固定するカツラ用止着具であって、
当該カツラ用止着具は、２つの略コ字状部材（１０、１０）を備えており、
各略コ字状部材は、櫛歯（２０）が固定された櫛歯固定片（１１）と、櫛歯固定片の両端からほぼ直角に同一方向に延在する２つの湾曲弾性脚（１２、１３）とで構成されていて、
２つの略コ字状部材（１０、１０）は、互いの開放部（１５）を対向させて、互いの湾曲弾性脚（１２、１３）を重ねた状態で、当該重ねられた各湾曲弾性脚（１２、１３）の延在する方向に離散して位置する複数の固定箇所において、互いに固定されていて、
湾曲弾性脚の湾曲方向を反転させることで、櫛歯（２０）が湾曲弾性脚（１２、１３）から離れる方向に反り上がった開状態と、櫛歯（２０）が湾曲弾性脚（１２、１３）にほぼ沿って延在する閉状態とに、選択的になり得ることを特徴とする、カツラ用止着具。
【請求項２】
上記複数の固定箇所が２箇所である、請求項１記載のカツラ用止着具。
【請求項３】
上記略コ字状部材（１０、１０）の２つの湾曲弾性脚（１２、１３）には、コ字状内側に突出した領域（６、７）が設けられていて、当該領域に上記固定箇所が位置している、請求項１記載のカツラ用止着具。
【請求項４】
上記固定箇所においては、湾曲弾性脚（１２、１３）に形成した連結孔（１６、１７）をかしめ具で止めることで、湾曲弾性脚同士が固定されている、請求項１記載のカツラ用止着具。
【請求項５】
上記２つの略コ字状部材（１０、１０）は同一の２つの部材である、請求項１記載のカツラ用止着具。
【請求項６】
上記重ねられた状態の湾曲弾性脚（１２、１３）に対して、筒状部材（３０）が外挿されている、請求項１記載のカツラ用止着具。
【請求項７】
請求項１〜６のいずれか１つに記載のカツラ用止着具を備えてなる、カツラ。
【発明の詳細な説明】
【技術分野】
【０００１】
本発明はカツラを頭部に固定するためのカツラ用止着具に関する。さらに詳しくは、カツラの取外しが容易になるカツラ用止着具、およびこれを用いたカツラに関する。
【背景技術】
【０００２】
頭部自毛が残存している場合に、カツラを頭部に固定する方法として、例えば特許文献１記載の止着具が広く使用されている。このタイプの止着具は、反転性能を有する枠体の長辺１辺のみに頭部自毛を挟持固定する櫛歯を備えており、櫛歯は、頭部自毛が延びている方向と平行になるようにカツラ裏面に取り付けられる。その場合、櫛歯の延在方向が頭部自毛の延びている方向と平行であるために、櫛歯が頭部自毛を挟持する力が弱く、且つ頭部自毛がある程度残っていないと安定した固定力が得られないという問題がある。
さらには、頭部が櫛歯の延在方向に対して横に動いた場合に、櫛歯から頭部自毛が滑り易い。一方、頭部が櫛歯の延在方向と平行に動いた場合には、櫛歯によって頭部自毛が引っ張られて苦痛を感じ易く、さらに、同じ位置での長期間使用によって、頭部自毛の脱毛が進行する場合もある。
【０００３】
これらの欠点を改善するために、特許文献２、および特許文献３には、反転性能を有する枠体の左右短辺に櫛歯を取付けてなるカツラ用止着具が開示されている。
【０００４】
特許文献２、３の止着具は、いずれも頭部自毛の延びている方向と櫛歯が直交するように、止着具がカツラ裏面に取り付けられるために、特許文献１と比べて、頭部自毛が引っ張られる苦痛は軽減される。しかしながら、特許文献２、３の止着具はいずれも、櫛歯が取り付けられた左右の短辺を構成する２つの枠体部分が、中央で連結一体化された構造となっているが故に、次のような問題が生じていた。
【０００５】
すなわち、カツラを外す時には、櫛歯による頭部自毛の挟時状態を開放するために、止着具の枠体を反転させる必要があるが、左右２つの枠体部分が中央の１箇所で連結された構造であるが故に、１回の枠体反転操作では両方の枠体部分を反転させることができず、最低２回の反転操作が必要となる、あるいは、枠体部分への力の加え方や場所によっては意図した側の櫛歯が開放しないことも多く、カツラの着脱操作が煩わしくなっていた（これについては、実施形態において、図４を参照して詳しく説明する）。
【先行技術文献】
【特許文献】
【０００６】
【特許文献１】実公昭５６−２３２９４号
【特許文献２】特開２０１１−１４９１１０号
【特許文献３】特開２０１３−４０４３０号
【発明の概要】
【発明が解決しようとする課題】
【０００７】
本発明は上記従来技術の現状に鑑みて創案されたものであって、その目的は、櫛歯が自毛の延在方向に略直交するようにカツラに固定されるカツラ止着具において、特に、カツラ取外しにおける操作性を高めることにある。
【課題を解決するための手段】
【０００８】
本発明のカツラ用止着具は、カツラの内側に取付けて、頭部自毛を挟持して当該カツラを頭部に固定するものであって、２つの略コ字状部材を備えている。各略コ字状部材は、「櫛歯が固定された櫛歯固定片」と「櫛歯固定片の両端からほぼ直角に同一方向に延在する２つの湾曲弾性脚」とで構成されている。
２つの略コ字状部材は、互いの開放部を対向させて、互いの湾曲弾性脚を重ねた状態で、当該重ねられた各湾曲弾性脚の長手方向に離散して位置する複数の固定箇所において、互いに固定されている。湾曲弾性脚の湾曲方向を反転させることで、「櫛歯が湾曲弾性脚から離れる方向に反り上がった開状態」と「櫛歯が湾曲弾性脚にほぼ沿って延在する閉状態」とに、選択的になり得る。
【発明の効果】
【０００９】
上記構成を有する本発明のカツラ用止着具においては、２つの略コ字状部材が互いの湾曲弾性脚を重ね合わせてオーバーラップさせた状態で、その長手方向に沿って離散した複数の箇所において連結固定されている。したがって、両部材は、弾性変形性および一体性が共に高く、指でカツラ用止着具を反転させる操作をした場合に、一方の略コ字状部材が反転すれば、必ず他方の略コ字状部材も反転する。換言すると、「片方の略コ字状部材のみが反転し、結果的に２回の反転操作が必要となる」という事態は、起こり得ない。
その結果、反転操作の際に、指の当て方や、力の入れ具合、方向に関して、使用者は細かい気を使うことなく、簡単な１回の反転操作だけで、カツラ用止着具を確実に反転させることができる（１回の反転操作だけで、簡単かつ確実に、カツラを取り外すことができる）。
【図面の簡単な説明】
【００１０】
【図１】本発明の一実施形態に係るカツラ用止着具を、２つの略コ字状部材に分解して示す分解斜視図。
【図２】図１のカツラ用止着具について、その「開状態」と「閉状態」を説明する図。
【図３】図１のカツラ用止着具について、その「開状態」と「閉状態」を説明する図。
【図４】従来例との比較により、本発明のカツラ用止着具の利点を説明する図。
【図５】カツラ用止着具における略コ字状部材同士の固定箇所の配置について説明する図。
【図６】筒状部材をさらに備える別実施形態に係るカツラ用止着具の斜視図。
【発明を実施するための形態】
【００１１】
本発明の実施形態を、添付の図面を参照して以下に詳細に説明する。図１は、一実施形態に係るカツラ用止着具Ｓを構成する２つの略コ字状部材１０を示している。この実施形態では、同一の２つの略コ字状部材１０が、１つのカツラ用止着具Ｓを構成する。したがって、一方の略コ字状部材１０についてのみ、その構成を説明する。
【００１２】
《略コ字状部材の構成》
略コ字状部材１０は、櫛歯２０が固定された櫛歯固定片１１と、この櫛歯固定片１１の両端からほぼ直角に同一方向に延在する２つの湾曲弾性脚１２、１３と、で構成されている。湾曲弾性脚１２、１３は、平坦部材ではなく、仮想的な湾曲面内に位置する形状を有していて、下に説明するように、選択的に「開状態」および「閉状態」になり得る（図２Ａ、図２Ｂ）。
【００１３】
まず、２つの略コ字状部材１０、１０を、互いに、コ字の開放部１５を対向させて、互いの湾曲弾性脚１２、１３を重ね合わせた状態とする。この状態で、各湾曲弾性脚１２、１３の長手方向に離散して位置する複数の固定箇所（この実施形態では、連結孔１６、１７）において、湾曲弾性脚同士を互いに固定する。この状態が図２Ａである。
連結孔１６、１７においては、図には詳細に示してはいないが、例えばリベット等のかしめ部材を用いて、重なった湾曲弾性脚１２、１３同士を連結固定する。こうして、２つの略コ字状部材１０を用いて、１つのカツラ用止着具Ｓが構成される。
【００１４】
《「開状態」と「閉状態」》
略コ字状部材１０および櫛歯２０は、金属その他の弾性材料で構成されている。したがって、カツラ用止着具Ｓは、指先等で適当な外力を与えて反転させることで、図２Ａの「開状態」および図２Ｂの「閉状態」に示したように、湾曲方向が異なる２つの状態を選択的にとり得る。なお、図２Ｂでは、２つの略コ字状部材同士の連結部分（図の中央領域）については、一点鎖線で簡略図示している。
【００１５】
図２Ｂの「閉状態」では、櫛歯２０が湾曲弾性脚１２、１３にほぼ沿うように延在しており、これは、カツラが装着者の自毛に固定されている状態である。すなわち、図３Ｂには、カツラベースの内側にカツラ用止着具Ｓを取り付けた状態を模式的に示しているが、カツラ用止着具Ｓが「閉状態」にあるとき、カツラ用止着具Ｓが自毛を挟持することで、カツラは頭部に固定される（なお、図３Ｂでは、図示を明瞭にするために、カツラと頭部は離して描いている）。
【００１６】
カツラを取り外す時、カツラ用止着具Ｓを反転させて図２Ａの「開状態」とする。この状態では、櫛歯２０が湾曲弾性脚１２、１３から離れる方向に反り上がる。対応する図３Ａに示したように、カツラ用止着具Ｓが「開状態」になると、それまで挟持されていた自毛が解放されて、カツラを取り外すことが可能となる。
【００１７】
《従来例との比較における効果》
【００１８】
従来例との比較における本発明の効果を、図４を参照して説明する。図４Ａは、図２Ａに示した本発明のカツラ用止着具Ｓを再度示している。一方、図４Ｂは、明細書冒頭で説明した特許文献３（特開２０１３−４０４３０号）のカツラ用止着具を示している（当該出願は、本件出願人による出願である）。
【００１９】
本発明のカツラ用止着具Ｓ（図４Ａ）においては、２つの略コ字状部材１０、１０が互いの湾曲弾性脚を重ね合わせてオーバーラップさせた状態で、その長手方向に沿う複数の箇所で連結固定されている。したがって、両部材１０、１０は弾性変形性および一体性が共に高く、指でカツラ用止着具Ｓを反転させる操作をした場合に、一方の略コ字状部材１０が反転すれば、必ず他方の略コ字状部材１０も反転する。
換言すると、「片方の略コ字状部材１０のみが反転し、結果的に２回の反転操作が必要となる」という事態は、起こり得ない。
【００２０】
それとは異なり、従来例のカツラ用止着具（図４Ｂ）では、左右２つの部材を突き合わせて１箇所で連結固定しているだけであるが故に、両部材の独立性が高い。このような構成では、反転操作時の力の入れ具合によっては、片方の部材しか反転しないということが起こり得る。その場合には、結局、２回の反転操作が必要となり、煩わしくなる。
【００２１】
《固定箇所の数》
図１、図２に示した実施形態では、略コ字状部材１０の湾曲弾性脚１２、１３の長手方向に沿って、２箇所の固定箇所（連結孔１６、１７）が設けられている（１本の脚について２箇所であるから、固定箇所は合計で４箇所に存在する）。２つの略コ字状部材１０の一体性を高めるという意味では、連結箇所が多い程好ましく、したがって、３以上の固定箇所を設けてもよい。一方、固定箇所の数が多過ぎると、良好な弾性変形性（カツラ用止着具Ｓの反転特性）が損なわれることになる。
以上を考慮して、固定箇所の数は、２以上の適当な数を適宜設定するが好ましい。
【００２２】
《固定箇所の配置》
図１、図２に示した実施形態では、略コ字状部材１０の２本の湾曲弾性脚１２、１３上に、内側に向かって互いに対向する突出領域６、７が設けられている。突出領域６、７に連結孔１６、１７が形成されていて、これらが、湾曲弾性脚同士の固定箇所として機能している。
その結果、固定箇所は、湾曲弾性脚１２、１３の本体よりも内側にオフセットされた位置に存在することになる。これには、次のような利点がある。これについて、図５を参照して説明する。
【００２３】
図５は、組み上がったカツラ用止着具Ｓにおける連結孔１６、１７の相対位置を模式的に示すもので、連結された２つの略コ字状部材を単純な枠体として示し、櫛歯２０の図示は省略している。図５（Ａ）は、図１、２の実施形態に相当するもので、連結孔１６、１７が内側に存在している。
図５（Ｂ）は、連結孔１６、１７を外方に突出した突出領域（図示せず）に設けた場合を示している。この場合、外方に突出した部分に自毛が絡まったり、頭皮を傷付けることが想定され好ましくない。また、シリコンチューブ等の筒状部材３０を取り付ける場合（図６を参照して後述）には、当該筒状部材３０が破損し易くなるので、その意味でも好ましくない。
図５（Ｃ）は、湾曲弾性脚１２、１３自体の部材中に連結孔１６、１７が位置する場合を示している。この場合には、反転操作の繰返しによって、湾曲弾性脚１２、１３に掛かる負担が大きいので、耐久性という点で好ましくない。さらに、湾曲弾性脚１２、１３自体の弾性変形性を有効に利用できず、毛髪保持力が弱くなるという点でも好ましくない。
【００２４】
以上を勘案すると、図５（Ａ）のように連結孔１６、１７が内側に存在する構成が最も好ましいと言える。図５（Ｂ）および図５（Ｃ）の構成は、図５（Ａ）との比較においては上記のように劣る点もあるが、図４を参照して説明したような反転操作性が良くなるという効果は得られる。
【００２５】
《固定箇所における連結の態様》
図１、図２に示した実施形態では、固定箇所として連結孔１６、１７が採用され、そこにリベット等のかしめ材を挿通および変形させて（図示せず）、当該固定箇所における固定が行われる。しかし、本発明では、湾曲弾性脚１２、１３の長手方向に沿って離散した複数の固定箇所において、重ね合わせた湾曲弾性脚１２、１３が何らかの態様で連結固定されていればよい。
例えば、連結孔１６、１７に対して糸材を巻き付けたり、ネジ部材を利用して固定することができる。また、連結孔を設けることなく、接着剤やスポット溶接により、離散した複数の箇所における固定を実現することもできる。
【００２６】
《筒状部材３０》
図６は、本発明の他の実施形態に係るカツラ用止着具Ｓ’を示している。このカツラ用止着具Ｓ’は、図１、２に示したカツラ用止着具Ｓに対して、筒状部材３０を追加した点が異なり、他の構成は同じである。
筒状部材３０は、互いに重ねて連結固定された湾曲弾性脚１２、１３の外側を周回するように外挿されている。筒状部材３０が存在する場合、カツラ用止着具Ｓ’が図２Ｂに示したような「閉状態」となったときに、櫛歯２０と筒状部材３０との間に自毛を挟持する力が強くなり、その分だけ、カツラを安定して固定することができる。
【００２７】
筒状部材３０は、任意の材料で作ることができるが、シリコン、ゴムその他の弾性材料を使用することが好ましい。
【００２８】
筒状部材３０が存在しなくても、図３Ａ、Ｂから分かるように、使用状態において、カツラ用止着具の上方側にはカツラベースの内面が位置するので、この内面が（あるいは内面に取り付けた適宜の部材が）、櫛歯２０と協働して自毛を挟持する作用を得ることができる。このように、筒状部材３０は、必須の構成要素ではないが、あった方が好ましい構成要素といえる。
【００２９】
《他の実施形態》
図示した実施形態では、同一の（１種類の）略コ字状部材１０を２つ用いて、両者を連結固定することで、カツラ用止着具を構成している。この場合、部材を１種類用意だけで足りるが故に、製造工程の簡素化およびコストダウンという点で有利である。
しかしながら、完全に同じ２つの略コ字状部材を使用する必要は無く、両者を組み合わせて、実質的にここまでに説明したのと同等のカツラ用止着具を構成できるのであれば、異なる略コ字状部材を使用することも、当然に可能である。
【符号の説明】
【００３０】
６、７  突出領域
１０  略コ字状部材
１１  櫛歯固定片
１２、１３  湾曲弾性脚
１５  開放部
１６、１７  連結孔
２０  櫛歯
【要約】      （修正有）【課題】櫛歯が自毛の延在方向に略直交するようにカツラに固定されるカツラ止着具において、カツラ取外しにおける操作性を高める止着具を提供する。【解決手段】２つの略コ字状部材を連結固定して、カツラ用止着具Ｓを構成する。各略コ字状部材は、櫛歯２０が固定された櫛歯固定片と、櫛歯固定片の両端からほぼ直角に同一方向に延在する２つの湾曲弾性脚１２、１３とで構成される。２つの略コ字状部材は、互いの開放部を対向させて、互いの湾曲弾性脚を重ねた状態で、当該重ねられた各湾曲弾性脚の長手方向に沿って離散した複数の固定箇所において、互いに固定される。したがって、両部材は弾性変形性および一体性が高く、指でカツラ用止着具を反転させる操作をした場合に、一方の略コ字状部材が反転すれば、必ず他方の略コ字状部材も反転する（必ず、１回の反転操作で足りる）。【選択図】図２【図１】
0005828976.tif 000002
【図２】
0005828976.tif 000003
【図３】
0005828976.tif 000004
【図４】
0005828976.tif 000005
【図５】
0005828976.tif 000006
【図６】
0005828976.tif 000007